(57)【特許請求の範囲】
【請求項１】
猫に透過視界を与えるメッシュ構造の生地により構成され、前記猫の顔及び頭を覆うように前記顔の前方側から後頭部側へと被せられる袋部材と、
前記袋部材のうち前記猫の背中側となる一端部に接続され、前記猫の胴体部に保持される保持部材と、
前記保持部材に連結されたリードと、
を備え、
前記袋部材は、
前記猫の口側となる他端部に備えられた第１開口と、
前記第１開口を所望の開度に調節可能な第１絞り紐と、
を有することを特徴とする猫用装着具。
【請求項２】
請求項１記載の猫用装着具において、
前記袋部材は、
前記第１開口と反対側になる前記一端部に備えられた第２開口と、
前記第２開口を所望の開度に調節可能な第２絞り紐と、
を有することを特徴とする猫用装着具。
【請求項３】
請求項１又は請求項２記載の猫用装着具において、
前記保持部材は、
前記猫の左・右の前足をそれぞれ挿通させる左・右一対の挿通穴を有し、
前記袋部材の前記一端部に対し着脱可能に接続されていることを特徴とする猫用装着具。
【請求項４】
請求項１乃至請求項３のいずれか１項記載の猫用装着具において、
前記第１絞り紐は、
前記第１開口が略閉鎖されて前記袋部材により前記猫の顔及び頭が包含される第１状態と、
前記第１開口が開かれて前記猫の顔又は頭のうち所望の部位を前記袋部材の外に露出させるとともにそれ以外の部位を前記袋部材の中に残存させる第２状態と、
を実現可能に構成されていることを特徴とする猫用装着具。
【請求項５】
請求項４記載の猫用装着具において、
前記第１絞り紐は、前記第２状態として、
前記猫の右目又は左目を露出させるか、若しくは、
前記猫の耳を露出させるか、若しくは、
前記猫の口を露出させる、
ことを実現可能に構成されていることを特徴とする猫用装着具。
【発明の詳細な説明】
【技術分野】
【０００１】
本発明は、少なくとも猫の顔及び頭を覆うことが可能に構成された部材を備えた猫用装着具に関する。
【背景技術】
【０００２】
従来、愛猫の動物病院への通院・引越し等、猫を連れた移動において、猫の脱走を抑制する等の観点で、猫の顔及び頭を覆うことが可能に構成された部材を備えた猫用装着具が、知られている（例えば、特許文献１参照）。この従来技術の猫用装着具では、メッシュ生地等からなる目鼻覆部と、目鼻覆部に設けられた帯状部材とが備えられている。装着時においては、目鼻覆部を猫の顔にあてがい、帯状部材を猫の後頭部にて係止することで、猫の顔及び頭を覆うよう装着がなされる。猫の目が目鼻覆部にて覆われることにより、猫の視野がある程度遮られ、猫を落ち着かせることができる。これは、猫が狭いところを好む傾向があることに基づく。
【先行技術文献】
【特許文献】
【０００３】
【特許文献１】特開２０１５−８０４７２号公報（図４等）
【発明の概要】
【発明が解決しようとする課題】
【０００４】
上記従来技術の猫用装着具では、装着ができれば、猫を落ち着かせることができ、猫の脱走を抑制できることが期待される。しかしながら、上述の帯状部材の係止は、マジックテープ（登録商標）により達成される。マジックテープ（登録商標）は一般的に剥がれ易く、一旦マジックテープ（登録商標）が一部でも剥がれると、更に剥がそうと猫が暴れるおそれがある。更に、装着された場合、猫用装着具が、猫の顔及び頭を常時覆うことになる。たとえば、飲食、検査などに応じて、猫の顔及び頭を露出させる必要がある場合には、猫用装着具の全体を脱着せざるを得ない。このため、脱走のリスクが生じる。以上より、猫への装着を適切に維持することができる猫用装着具が、要望されている。
【０００５】
本発明の目的は、猫への装着を適切に維持することができ、猫の脱走を抑制できる猫用装着具を提供することにある。
【課題を解決するための手段】
【０００６】
上記目的を達成するために、本願発明は、猫に透過視界を与えるメッシュ構造の生地により構成され、前記猫の顔及び頭を覆うように前記顔の前方側から後頭部側へと被せられる袋部材と、前記袋部材のうち前記猫の背中側となる一端部に接続され、前記猫の胴体部に保持される保持部材と、前記保持部材に連結されたリードと、を備え、前記袋部材は、前記猫の口側となる他端部に備えられた第１開口と、前記第１開口を所望の開度に調節可能な第１絞り紐と、を有することを特徴とする。
【０００７】
本願発明の猫用装着具においては、袋部材と、保持部と、リードとが、設けられる。袋部材が、猫の顔及び頭を覆うように、顔の前方側から後頭部側へと被せられる。この袋部材は、猫に透過視界を与えるメッシュ構造の生地により、構成されている。このため、猫の視野がある程度遮られ、猫を落ち着かせることができる。
【０００８】
また、保持部材は、袋部材に接続され、猫の胴体部に保持される。この接続部は、袋部材のうちの、猫の背中側となる一端部である。すなわち、袋部材は、猫の顔の前方側から後頭部側へと被せられ、かつ、保持部材との接続部を介して保持される。このため、たとえば、上述のようにマジックテープ（登録商標）等を用い猫の後頭部にて係止する構成にて、猫がマジックテープ（登録商標）を剥がそうとして暴れるという事象を、抑制することができる。加えて、リードは、保持部材と連結されており、別途、車両のシートベルト等と接続することができる。このため、装着することで、散歩や車両での移動を安全にすることができる。
【０００９】
更に、袋部材は、第１開口と、第１絞り紐と、を有する。第１開口は、袋部材の猫の口側となる他端部に備えられ、第１絞り紐により、所望の開度に調整可能となっている。このため、たとえば、猫の顔及び頭（の一部）を露出させる必要がある場合には、袋部材を着用したままで、開度調整される第１開口を介して、露出を達成することができる。従って、猫用装着具の全体を脱着する必要がなく、脱走のリスクを抑制することができる。
【００１０】
以上の構成により、本願発明によれば、猫への装着を適切に維持することができ、猫の脱走を抑制できる。
【発明の効果】
【００１１】
本発明によれば、猫への装着を適切に維持することができ、猫の脱走を抑制できる。
【図面の簡単な説明】
【００１２】
【図１】本発明の一実施形態による猫用装着具を猫が装着した状態を表す、略正面から見た斜視図である。
【図２】図１に示す猫用装着具を猫が装着した状態を表す、腹面側からみた斜視図である。
【図３】図１に示す猫用装着具の表側の外観構造を表す斜視図である。
【図４】図１に示す猫用装着具の裏側の外観構造を表す斜視図である。
【図５】袋部材の絞り紐における第１状態を説明する説明図である。
【図６】袋部材の絞り紐における第２状態を説明する説明図である。
【図７】図１に示す猫用装着具のハーネスに対し、接続可能なリードの全体外観構造図である。
【図８】本発明の他の実施形態による猫用装着具を猫が装着した状態を表す、略正面から見た斜視図である。
【図９】図８に示す猫用装着具の袋部材を猫が装着した状態を表す、略正面から見た斜視図である。
【図１０】本発明の他の実施形態による猫用装着具の表側の外観構造を表す斜視図である。
【発明を実施するための形態】
【００１３】
以下、本発明の一実施形態を図面を参照して説明する。
【００１４】
図１及び図２に、本発明の一実施形態による猫用装着具１００を猫ＣＡＴが装着した状態を示す。なお、以下の説明において、上下方向、前後方向、左右方向は、図１及び図２に示すように、猫ＣＡＴから見た上下方向、前後方向、左右方向に相当しており、図１、図２の各図中に適宜される矢印の方向に対応している。
【００１５】
猫用装着具１００は、袋部材１０と、保持部材２０と、リード３０と、を備えている。袋部材１０は、猫ＣＡＴに透過視界を与えるメッシュ構造の生地により構成されている。袋部材１０は、猫ＣＡＴの顔ＦＣ及び頭ＨＤを覆うように、顔ＦＣの前方側から後頭部側へと、被せられるようになっている。
【００１６】
保持部材２０は、袋部材１０のうち猫ＣＡＴの背中側となる一端部１１に対し、着脱可能に接続されるようになっている。保持部材２０は、衣服部２１と、ハーネス２２と、を備えている。保持部材２０の衣服部２１は、猫ＣＡＴの左・右の前足ＦＦをそれぞれ挿通させる、左・右一対の挿通穴２３を有している。ハーネス２２は、その端部が衣服部２１に連結されており、バックル２２ａと、リング２２ｂと、を備えている。挿通穴２３に前足ＦＦをそれぞれ挿通させて、背中側にてバックル２２ａが留められることで、保持部材２０は、猫ＣＡＴの胴体部ＢＤに保持される。リング２２ｂは、保持部材２０が胴体部ＢＤに保持された状態において、背中側に位置するようになっており、リード３０と接続可能に構成されている。
【００１７】
図３に示すように、保持部材２０の衣服部２１は、猫ＣＡＴの胴体部ＢＤの周囲に追従するよう、布で構成されている。衣服部２１は、左右対称の略六角形状に構成されている。衣服部２１においては、略六角形状の各辺に対応するように、前端２４、後端２５、身幅方向における両側端２６、及び、両側端２６と前端２４とそれぞれ隣り合う端部２７が、規定される。
【００１８】
挿通孔２３は、楕円形に切り抜かれて形成され、猫ＣＡＴの前足ＦＦ付け根に対応する位置に、左右対称となるよう配設されている。挿通孔２３の配設位置は、たとえば、前端２４および後端２５の中間に位置してもよい。ハーネス２２は、２本の紐で構成されており、その両端部２２ｃが、それぞれ衣服部２１に接続されている。両端部２２ｃの接続位置は、前端２４および挿通孔２３の間と、挿通孔２３および後端２５の間とに、それぞれ位置している。更に、ハーネス２２は、２本の紐の中間部に、バックル２２ａおよびリング２２ｂをそれぞれ備えている。
【００１９】
両側端２６の一方には、マジックテープ（登録商標）２６ａが備えられている。装着時においては、衣服部２１が、猫ＣＡＴの胴体部ＢＤを囲うように巻かれ、マジックテープ（登録商標）２６ａ、２６ｂ（後述する図４における、裏側のマジックテープ（登録商標）２６ｂ）が、猫ＣＡＴの背中側にて接着する。更に、ハーネス２２のバックル２２ａも、猫ＣＡＴの背中側にて留められる。このようにして、保持部材２０を、胴体部ＢＤにしっかりと保持することができる。
【００２０】
なお、前端２４および後端２５には、それぞれ対応する辺に沿って、光を反射する反射材２４ａ、２５ａを取付けてもよい。また、前端２４に、鈴２４ｂを取り付けてもよい。更に、衣服部２１は、略中央にて、猫ＣＡＴの名前や飼主連絡先等の識別情報を記載したタグ２１ａを、添付できるよう構成されてもよい。
【００２１】
図４に示すように、保持部材２０の衣服部２１を構成する布地には、通気性を向上させるために、メッシュ素材が用いられる。前端２４には、対応する辺に沿って、ファスナー２４ｃが配設されている。端部２７には、それぞれボタン２７ａが備えられている。ファスナー２４ｃおよびボタン２７ａは、袋部材１０の一端部１１に対し、着脱可能に構成されている。すなわち、保持部材２０の衣服部２１は、ファスナー２４ｃおよびボタン２７ａを介して、袋部材１０の一端部１１と、着脱可能に接続されるようになっている。なお、適宜のボタンのみによって保持部材２０と袋部材１０とを着脱可能に構成してもよい。
【００２２】
両側端２６の他方には、マジックテープ（登録商標）２６ｂが備えられている。マジックテープ（登録商標）２６ｂは、上述の表側におけるマジックテープ（登録商標）２６ａと、接着可能となっている。
【００２３】
袋部材１０は、筒状に構成されており、猫ＣＡＴの背中側となる一端部１１の開口１１ａと、猫ＣＡＴの口側となる他端部１２の開口１２ａ（第１開口に相当）と、を備えている。一端部１１の開口端には、ファスナー１１ｂと、２つのボタン係合部１１ｃとが、設けられている。ファスナー１１ｂは、開口１１ａの半円周に沿って配設されており、ボタン係合部１１ｃは、残りの半円周上に配設されている。これらのファスナー１１ｂおよびボタン係合部１１ｃは、衣服部２１のファスナー２４ｃおよびボタン２７ａと、それぞれ着脱可能に係合されるようになっている。
【００２４】
他端部１２の開口端には、絞り紐１２ｂ（第１絞り紐に相当）が設けられている。絞り紐１２ｂは、開口端を折り返して形成される連通孔１２ｃ内に配設されている。絞り紐１２ｂの長さは、開口１２ａの円周長よりも長く構成されており、絞り紐１２ｂの両端を含む部分が、連通孔１２ｃから外部に露出している。この露出部分には、クランプ１２ｂ１が、取り付けられている。クランプ１２ｂ１にて留める位置を調整することで、絞り紐１２ｂの絞り度合が調節されて、開口１２ａの開度が調節される。このように構成された絞り紐１２ｂは、開口１２ａを所望の開度に調節可能となっている。また、絞り紐１２ｂは、開口１２ａの開度に応じて、種々の状態をとることができる。
【００２５】
絞り紐１２ｂの開口１２ａが略閉鎖されて、袋部材１０により猫ＣＡＴの顔ＦＣ及び頭ＨＤが包含される状態（この状態を、「第１状態」と称呼する。）を図５に示す。図示のように第１状態は、絞り紐１２ｂの露出部分が最長となるようクランプ１２ｂ１を留めて、絞り度合を最大とすることで達成される。このとき、開口１２ａが略閉鎖されるため、猫の視野がある程度遮られ、猫を落ち着かせることができる。
【００２６】
絞り紐１２ｂの開口１２ａが開かれて、猫ＣＡＴの顔ＦＣ又は頭ＨＤのうち、所望の部位を袋部材１０の外に露出させるとともに、それ以外の部位を袋部材１０の中に残存させる状態（この状態を、「第２状態」と称呼する。）を図６に示す。図示のように第２状態は、第１状態に比して、絞り紐１２ｂの露出部分が短くなるようクランプ１２ｂ１を留めて、絞り度合を緩めることで達成される。
【００２７】
袋部材１０の外に露出させる部位としては、顔ＦＣ又は頭ＨＤの範囲であれば任意だが、下記に説明する部位を露出させると好適である。第２状態として、たとえば、図６中の（ａ）、（ｂ）に示すように、猫ＣＡＴの右目ＲＥ又は左目ＬＥを露出させてもよい。若しくは、図６中の（ｃ）に示すように、猫ＣＡＴの耳ＥＲを露出させてもよい。若しくは、図６中の（ｄ）に示すように、猫ＣＡＴの口ＭＳを露出させてもよい。これにより、右目ＲＥ又は左目ＬＥへの点眼や、耳ＥＲ、口ＭＳ（歯）のそれぞれの検査、また、歯磨き・飲食の際に、全体を取り外す必要がなくなり、これらを安全に実行することができる。
【００２８】
上述のように、絞り紐１２ｂは、上記第１状態と、上記第２状態と、を実現可能に構成されている。また、上記第１、第２状態とは別の状態として、絞り紐１２ｂは、開口１２ａの開度を全開とし、猫ＣＡＴの顔ＦＣ及び頭ＨＤを、袋部材１０の外に露出させる状態も実現することができる。この場合、袋部材１０は、猫ＣＡＴの背中側に向かって丸めることで、収納される。従って、猫ＣＡＴの顔ＦＣ又は頭ＨＤを覆う必要がない場合にも、対応が可能となる。
【００２９】
ところで、上述のように構成された袋部材１０および保持部材２０は、それぞれ相互に切り離せるようになっている。このため、袋部材１０に代わる別部材を、保持部材２０に取付けてもよい。
【００３０】
また、保持部材２０のハーネス２２にはリング２２ｂが備えられており、装着時には、リング２２ｂが猫ＣＡＴの背中側に位置する。このリング２２ｂには、たとえば、図７に示すリード３０を接続することができる。このリード３０は、リング２２ｂと接続可能な接続部３０ａを一端に備えている。他端には、サイズ調整可能な環状部３０ｂが備えられている。この環状部３０ｂを把持して、猫ＣＡＴを散歩させることができる。また、環状部３０ｂに、車両のシートベルトを通すこともできる。
【００３１】
＜実施形態の効果＞
以上説明したように、本実施形態の猫用装着具１００においては、袋部材１０と、保持部２０と、リード３０とが、設けられる。袋部材１０が、猫ＣＡＴの顔ＦＣ及び頭ＨＤを覆うように、顔の前方側から後頭部側へと被せられる。この袋部材１０は、猫ＣＡＴに透過視界を与えるメッシュ構造の生地により、構成されている。このため、猫ＣＡＴの視野がある程度遮られ、猫ＣＡＴを落ち着かせることができる。加え、通気性・視界もある程度担保され、災害時や引越し時等の長時間での装着であっても、暴れることを抑制しながら、トイレ、歩行等を可能とすることができる。更に、普段の世話の際での装着により、暴れることを抑制しながら、爪切り等を可能とすることができる。
【００３２】
また、保持部材２０は、袋部材１０に接続され、猫ＣＡＴの胴体部ＢＤに保持される。この接続部は、袋部材１０のうちの、猫ＣＡＴの背中側となる一端部１１である。すなわち、袋部材１０は、猫ＣＡＴの顔ＦＣの前方側から後頭部側へと被せられ、かつ、保持部材２０との接続部を介して保持される。このため、本実施形態に代えて、たとえば、マジックテープ（登録商標）等を用い猫の後頭部にて係止する構成にて、猫がマジックテープ（登録商標）を剥がそうとして暴れるという事象を、抑制することができる。加えて、リード３０は、保持部材２０と連結されており、別途、車両のシートベルト等と接続することができる。このため、装着することで、散歩や車両での移動を安全にすることができる。
【００３３】
更に、袋部材１０は、開口１２ａと、絞り紐１２ｂと、を有する。開口１２ａは、袋部材１０の猫ＣＡＴの口側となる他端部１２に備えられ、絞り紐１２ｂにより、所望の開度に調整可能となっている。このため、たとえば、猫ＣＡＴの顔ＦＣ及び頭ＨＤを露出させる必要がある場合には、袋部材１０を着用したままで、開度調整される開口１２ａを介して、露出を達成することができる。従って、全体を脱着する必要がなく、脱走のリスクを抑制することができる。
【００３４】
以上の構成により、本実施形態によれば、猫への装着を適切に維持することができ、猫の脱走を抑制できる。
【００３５】
また、本実施形態では特に、保持部材２０の衣服部２１が、左・右一対の挿通穴２３を有している。挿通穴２３は、猫ＣＡＴの左・右の前足ＦＦをそれぞれ挿通させるようになっている。このため、保持部材２０および胴体部ＢＤのずれが抑制されて、保持部材２０を、しっかりと保持することができる。また、保持部材２０が、袋部材１０の一端部１１に対し脱着可能に構成されている。具体的には、一端部１１におけるファスナー１１ｂおよびボタン係合部１１ｃが、衣服部２１のファスナー２４ｃおよびボタン２７ａと、それぞれ着脱可能に係合されるようになっている。このため、袋部材１０を取外し、たとえば、ファスナー２４ｃおよびボタン２７ａを利用して、適宜の別部材を簡単に取付けることができる。このように、必要に応じて、袋部材１０を、袋部材１０に代わる別部材に、簡単に付け代えることができる。
【００３６】
また、本実施形態では特に、絞り紐１２ｂが、上記第１状態（図５を参照）と、上記第２状態（図６を参照）と、を実現可能に構成されている。第１状態が実現されることで、開口１２ａが略閉鎖されるため、猫の視野がある程度遮られ、猫を落ち着かせることができる。一方、第２状態が実現されることで、全体を取り外す必要がなく、脱走のリスクを抑制しつつ、顔ＦＣ又は頭ＨＤのうち所望の部位のみを袋部材１０の外に露出させることができる。所望の部位としては、たとえば、目ＲＥ、左目ＬＥ、耳ＥＲ、口ＭＳ等があげられる。従って、右目ＲＥ又は左目ＬＥへの点眼や、耳ＥＲ、口ＭＳ（歯）のそれぞれの検査、また、歯磨き・飲食の際に、全体を取り外す必要がなくなる。このため、脱走のリスクを抑制しつつ、これらを安全に実行することができる。
【００３７】
＜変形例＞
本発明は上記実施形態に限定されず、種々の変更が可能である。変形例において、上記実施形態と同一・等価である部位については、図１及び図３に記載の番号と同番号を付して説明を省略する。上記実施形態においては、袋部材１０に絞り紐１２ｂが備えられ、開口１２ａを所望の開度に調節可能となっている。これに加え、図８に示すように、袋部材１０に絞り紐１１ｄ（第２絞り紐に相当）が、更に備えられると好適である。絞り紐１１ｄは、猫ＣＡＴの背中側となる一端部１１の開口１１ａ（第２開口に相当）において、絞り紐１２ｂの配設と同様、その開口端を折り返して形成される連通孔内に配設されている。絞り紐１１ｄの長さは、開口１１ａの円周長よりも長く構成されており、絞り紐１１ｄの両端を含む部分が、連通孔から外部に露出している。この露出部分には、クランプ１１ｄ１が、取り付けられている。クランプ１１ｄ１にて留める位置を調整することで、絞り紐１１ｄの絞り度合が調節されて、開口１１ａの開度が調節される。このように構成された絞り紐１１ｄは、開口１１ａを所望の開度に調節可能となっている。
【００３８】
これによれば、例えば、図９に示すように、袋部材１０のみを猫ＣＡＴに装着させ、絞り紐１１ｄにより開口１１ａの開度を調節できる。従って、開口１１ａが猫ＣＡＴの首周辺にてフィットするため、袋部材１０のみを適切に装着させることができる。猫ＣＡＴは、顔ＦＣを覆うのみでも大人しくなる性質をもつ。このため、保持部材２０の装着なしで実施可能な作業（例えば、爪切りやシャンプー等）を実施する場合には、袋部材１０の装着のみで足りることになる。従って、本構成により、保持部材２０の装着の手間なく、上述の作業を容易に実施することができる。また、袋部材１０および保持部材２０の両方を猫ＣＡＴに装着させる場合において、図９に示すように袋部材１０のみを先に装着させ、次いで保持部材２０を装着させて図８に示す状態とすることができる。このため、猫用装着具１００の装着する工程においても、猫ＣＡＴを大人しくさせることができ、脱走のリスクを抑制することができる。
【００３９】
また、上記実施形態においては、図３に示す構成を備えた猫用装着具１００が用いられているが、これに代えて、他の実施形態として、例えば図１０に示す構成のものが用いられてもよい。他の実施形態の保持部材２０では、図３Ａに示すように、左右一対の各挿入孔２３から、身幅方向における各両側端２６に向けて、切れ込み２８がそれぞれ入っている。切れ込み２８を境にして、両側端２６を含む第１保持部２６ｃ、および、端部２７を含む第２保持部２７ｂが、それぞれ区画される。第１保持部２６ｃは、保持部２０を平置きした状態において、第２保持部２７ｂの上に一部が重なるように構成される。第１保持部２６ｃには、第２保持部材２７ｂと結合可能なボタン２６ｃ１が備えられており、ボタン２６ｃ１により、それぞれが重なった状態を維持することができる。ボタン２６ｃ１および両側端２６の間には、ベルト２６ｃ２の一端が結合されている。ベルト２６ｃ２の他端には、バックル２２ａと、リング２２ｂとが、備えられている。この構成においては、図３に示したハーネス２２は、備えられていない。他の実施形態は、以上説明した点のみ、上記実施形態と異なる。
【００４０】
この保持部材２０を猫ＣＡＴに装着する場合、先ず、第１保持部２６ｃ、および、第２保持部材２７ｂが結合されていない状態で、各切れ込み２８を介して、左右の前足ＦＦを各挿入孔２３まで導く。次いで、第２保持部材２７ｂの上に、第１保持部２６ｃを重ね合わせ、ボタン２６ｃ１により、それぞれを結合する。そして、第２保持部材２７ｂと一体的に、第１保持部２６ｃの各両側端２６を、猫ＣＡＴの背中側に回し、バックル２２ａを連結する。この構成によっても、保持部材２０および胴体部ＢＤのずれが抑制されて、保持部材２０を、しっかりと保持することができる。
【００４１】
なお、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【００４２】
また、以上既に述べた以外にも、上記実施形態や各変形例による手法を適宜組み合わせて利用しても良い。
【００４３】
その他、一々例示はしないが、本発明は、その趣旨を逸脱しない範囲内において、種々の変更が加えられて実施されるものである。
【符号の説明】
【００４４】
１００            猫用装着具
１０              袋部材
１１              一端部
１１ａ            開口
１１ｄ            絞り紐
１２              他端部
１２ａ            開口
１２ｂ            絞り紐
２０              保持部材
２３              挿通穴
３０              リード
ＢＤ              胴体部
ＣＡＴ            猫
ＥＲ              耳
ＦＣ              顔
ＦＦ              前足
ＨＤ              頭
ＬＥ              左目
ＭＳ              口
ＲＥ              右目
【要約】
【課題】猫への装着を適切に維持し、猫の脱走を抑制する。
【解決手段】猫用装着具１００は、猫ＣＡＴに透過視界を与えるメッシュ構造の生地により構成され、前記猫ＣＡＴの顔ＦＣ及び頭ＨＤを覆うように前記顔ＣＡＴの前方側から後頭部側へと被せられる袋部材１０と、前記袋部材１０のうち前記猫ＣＡＴの背中側となる一端部１１に接続され、前記猫ＣＡＴの胴体部ＢＤに保持される衣服部２１と、ハーネス２２のリング２２ｂに連結されたリード３０と、を備え、前記袋部材１０は、前記猫ＣＡＴの口側となる他端部１２に備えられた開口１２ａと、前記開口１２ａを所望の開度に調節可能な絞り紐１２ｂと、を有する。
【選択図】図３【図１】
0006890915.tif 000002
【図２】
0006890915.tif 000003
【図３】
0006890915.tif 000004
【図４】
0006890915.tif 000005
【図５】
0006890915.tif 000006
【図６】
0006890915.tif 000007
【図７】
0006890915.tif 000008
【図８】
0006890915.tif 000009
【図９】
0006890915.tif 000010
【図１０】
0006890915.tif 000011